(57)【要約】【課題】  衣服などの前立ての開口縁に対称形態の磁性を備えた磁性部材を取り付け、磁性部材の吸着および脱着が容易にできる磁力を活用したファスナーを提供する。【解決手段】  一対のファスナーテープ１の対向側縁７に磁性を備えた単体の磁性部材２に位置決め部５を配することにより、一定の等間隔で固定して左右対称に形成し、磁性部材２には磁石４の磁極がファスナーテープ１の長手方向を指向するように合成樹脂材３に埋装して磁性部材２を形成し、一方の磁性部材２間に他方の磁性部材２を挿入して長手方向で吸着し、左右の磁性部材２が吸脱できるように形成した止具すなわち磁力を活用したファスナーである。【選択図】  図１
2006149824.tif 000002
【特許請求の範囲】
【請求項１】
一対のファスナーテープ１の対向側縁７に磁性を備えた単体の磁性部材２を所定間隔で固定し、一方の磁性部材２間へ他方の磁性部材２を挿入して吸着可能に形成してなることを特徴とするファスナー。
【請求項２】
ファスナーテープ１の側縁７に沿って配列した磁性部材２間に位置決め部５を配設し、位置決め部５は磁性部材２間の間隔を保持してなる請求項１記載のファスナー。
【請求項３】
磁性部材２間へ配設した位置決め部５はファスナーテープ１の側縁７に固定し、磁性部材２間へ挿入される磁性部材２と対向可能に形成してなる請求項１記載のファスナー。
【請求項４】
磁性部材２の磁極はファスナーテープ１の長手方向を指向する形に配設し、一方のファスナーテープ１の磁性部材２間へ他方の磁性部材２を挿入したとき、各磁極が長手方向を指向して吸着し、一直線を呈してなる請求項１記載のファスナー。
【請求項５】
合成樹脂材３に磁石４をインサート成形で埋装して磁性部材２を形成してなる請求項１記載のファスナー。
【請求項６】
ファスナーテープ１の側縁７に配列して固定した磁性部材２の終端に嵌脱自在で回動自在の開き具を連設してなる請求項１記載のファスナー。
【発明の詳細な説明】
【技術分野】
【０００１】
この発明は、一対のファスナーテープの側縁に磁石などの磁性を備えた磁性部材を取り付けて、互いに磁性部材を吸着させることができる衣服などの前立てに用いるファスナーに関するものである。
【背景技術】
【０００２】
従来の衣服の前立てに取り付けて使用する磁石を用いたボタンは、図９に示すように一対のテープにおける一方のテープの側縁に断面Ｈ形のボタン受けを一定間隔で取り付け、このＨ形ボタン受けの基部に磁石を装着し、他方のテープの側縁にボタン受けと対向し、磁石に吸着できる突片を突設したボタンを取り付けた簡易ボタンが知られている。
【０００３】
また図１０に示すように衣服などの開口縁にそれぞれ断面ト字状のひっかけ部材または断面Ｌ型のひっかけ部材の磁性材からなるヨークに磁石を取り付け、ひっかけ部材を表裏方向で吸着するか、または水平方向で吸着させるマグネットファスナーが知られている。
【０００４】
さらに、図１１に示すように衣服の前立ての縁部を左右で重ね合わせる部分に磁石を配して、縁部を吸着させるマグネット閉止機構が知られている。
【特許文献１】実開平４−６４２０９号公報
【特許文献２】特開昭６０−２４１４０４号公報
【特許文献３】米国特許第４３９９５９５号明細書
【発明の開示】
【発明が解決しようとする課題】
【０００５】
前項した各図に示したマグネットファスナーは、全て衣服などの前立ての開口縁にマグネットを装着し、口縁を上下に重ね合わせてヨークを引っかけてマグネットを吸着するか、または単にマグネットにヨークを水平に吸着させるかして開口縁を閉止させるものである。また図９，１０に示したファスナーは上下方向に間隙が生じ衣服の前立てを完全に閉鎖させることができず見映えがよくない。さらに図１１に示したファスナーは衣服の縁部を重ね合わせるので分厚く硬直となること、またマグネットを開口縁またはテープに等間隔で配設することがきわめて面倒であるなど問題点がある。
【０００６】
この発明は、上述の問題点を考慮して発明されたものであり、請求項１記載の発明は、衣服などの前立ての開口縁に左右対称形態の磁性を備えた磁性部材を一対のファスナーテープの縁部に取り付け、磁性部材の吸着および脱着操作を簡易に行うことができ、かつ開口縁の閉止が確実に行え、そのうえ体裁のよい磁力を活用したファスナーを提供することが主たる目的である。
【０００７】
請求項２記載の発明は、請求項１記載の発明の目的に加え、ファスナーテープの側縁に磁性部材を等間隔で正確に取り付けることができ、磁性部材が正確に磁力の吸着動作が行える、磁力を活用したファスナーを提供することが目的である。
【０００８】
請求項３記載の発明は、請求項１記載の発明の目的に加え、磁性部材間に配する位置決め部をファスナーテープの側縁に固定し、吸着相手の磁性部材を正しく対向させることができる、磁力を活用したファスナーを提供することが目的である。
【０００９】
請求項４記載の発明は、請求項１記載の発明の目的に加え、ファスナーテープの側縁に取り付けた磁性部材が正しく一定方向を指向するように配設し、正しく磁力の吸着が発揮できる磁力を活用したファスナーを提供することが目的である。
【００１０】
請求項５記載の発明は、請求項１記載の発明の目的に加え、磁石を用いて簡単かつ的確に磁力を活用できる磁性部材を作製することができる、磁力を活用したファスナーを提供することが目的である。
【００１１】
請求項６記載の発明は、請求項１記載の発明の目的に加え、磁性部材を配列したファスナーテープの磁力による吸着および脱着操作をきわめて円滑かつ的確に行うことができる磁力を活用したファスナーを提供することが目的である。
【課題を解決するための手段】
【００１２】
前記の目的を達成するため、この発明のうち請求項１記載の発明は、一対のファスナーテープ１の対向側縁７に磁性を備えた単体の磁性部材２を一定の等間隔で固定し、一方のファスナーテープ１に固定した磁性部材２間へ他方のファスナーテープ１に固定した磁性部材２を挿入して吸着かつ脱着できるように形成した磁力を活用したファスナーを主な構成とするものである。
【００１３】
請求項２記載の発明は、請求項１記載の発明の構成に加え、ファスナーテープ１の側縁７に沿って配列した磁性部材２の前後の位置を決める位置決め部５を磁性部材２と一体または別体で配設して磁性部材２間の間隔を保持した磁力を活用したファスナーである。
【００１４】
請求項３記載の発明は、請求項１記載の発明の構成に加え、磁性部材２間へ配設する位置決め部５はファスナーテープ１の側縁７に固定し、磁性部材２間へ挿入される相手方の磁性部材２と対向できるように形成した磁力を活用したファスナーである。
【００１５】
請求項４記載の発明は、請求項１記載の発明の構成に加え、ファスナーテープ１の側縁７に取り付けた磁性部材２の磁極はファスナーテープ１の長手方向を指向する形に配設し、一方のファスナーテープ１の磁性部材２間へ他方の磁性部材２を挿入したとき、各磁極が長手方向を指向し、一直線を呈する磁力を活用したファスナーである。
【００１６】
請求項５記載の発明は、請求項１記載の発明の構成に加え、熱可塑性樹脂または熱硬化製樹脂の合成樹脂材３に磁石４をインサート成形によって埋装して磁性部材２を形成した磁力を活用したファスナーである。
【００１７】
請求項６記載の発明は、請求項１記載の発明の構成に加え、一対のファスナーテープ１の側縁７に一定の等間隔で配列した磁性部材２の終端に、それ自体で嵌脱自在また回動自在に作動できる止具すなわち開き具１０を磁性部材２に連続状に配設した磁力を活用したファスナーである。
【発明の効果】
【００１８】
この出願の発明の効果として、請求項１記載の発明は、一対のファスナーテープの対向側縁に磁性を備えた単体の磁性部材を所定間隔で固定し、一方の磁性部材間へ他方の磁性部材を挿入して吸着可能に形成したことによって、左右対称形の磁性部材であるから、１本のファスナーテープに磁性部材を取り付け、適宜長さにカットして左右一対のファスナーテープに用いればよいので、ファスナーの作製が簡易であり、体裁もよいファスナーが得られる。また一方の磁性部材間へ他方の磁性部材を挿入吸着させるので、確実かつ容易に結合させることができる効果がある。
【００１９】
請求項２記載の発明は、請求項１記載の発明の効果に加え、ファスナーテープの側縁に沿って配列した磁性部材間に位置決め部を配設し、位置決め部は磁性部材間の間隔を保持したことによって、ファスナーテープの側縁へ磁性部材を正確な間隔で配列し固定できるので、磁性部材の吸着機能を円滑かつ容易に行うことができる効果がある。
【００２０】
請求項３記載の発明は、請求項１記載の発明の効果に加え、磁性部材間へ配設した位置決め部はファスナーテープの側縁に固定し、磁性部材間へ挿入される磁性部材と対向可能に形成したことによって、位置決め部はファスナーテープの側縁へ強固に固定することができ、かつ挿入相手の磁性部材と正しく対向させることができ、見映えのよいファスナーに仕上げることができる効果がある。
【００２１】
請求項４記載の発明は、請求項１記載の発明の効果に加え、磁性部材の磁極はファスナーテープの長手方向を指向する形に配設し、一方のファスナーテープの磁性部材間へ他方の磁性部材を挿入したとき、各磁極が長手方向を指向して吸着し、一直線を呈することによって、磁性部材をファスナーテープの側縁へ正しく配列することができ、吸着作用はファスナーの左右方向でなくファスナーの長手方向であるので、整然と的確に行うことができる効果がある。
【００２２】
請求項５記載の発明は、請求項１記載の発明の効果に加え、合成樹脂材に磁石をインサート成形で埋装したことによって、磁石を用いた磁性部材を用途に応じて容易に作製することができる効果がある。
【００２３】
請求項６記載の発明は、請求項１記載の発明の効果に加え、ファスナーテープの側縁に配列して固定した磁性部材の終端に嵌脱自在で回動自在の開き具を連設したことによって、一対のファスナーテープの側縁に配列した磁性部材のファスナーの吸着および脱着操作がきわめて簡単かつ的確に行うことができ、ファスナーの取り扱いがきわめて簡便に行うことができる効果があるなど、この発明が奏する効果はきわめて顕著である。
【発明を実施するための最良の形態】
【００２４】
この発明におけるファスナーは、一対のファスナーテープ１の対向側縁７に単体の磁性部材２を取り付ける。磁性部材２は、熱可塑性樹脂または熱硬化製樹脂の合成樹脂材の中に磁石４をインサート成形によって埋装して磁性部材２を形成する。磁石４は単体の磁性部材２の先端側にファスナーテープ１の長手方向を指向する形で埋装されている。
【００２５】
磁性部材２と磁性部材２の前後の間には、磁性部材２の幅寸法よりやや狭い磁性部材２の位置を決めるための位置決め部５をファスナーテープ１の側縁７へ成形する。これによって一対のファスナーテープ１に成形された磁性部材２は互い違いに形成され、一方の磁性部材２間に他方の磁性部材２が挿入し磁石によって吸着し、左右のファスナーテープ１は結合する。
【００２６】
このファスナーテープ１の終端に固定された磁性部材２に連接して雌雄形の止具である開き具１０を合成樹脂で成形し、一方は横方向の先端に凹溝１８を備えた保持部材１１を成形し、保持部材１１の先端に円板状の摺接板１３を設け、この中心に凸部１５を突設し、その周囲に磁石板１７を配設する。また他方には保持部材１１に嵌入できる平板状の差込部材１２を成形し、差込部材１２の先端に円板状の摺接板１４を設け、この摺接板１４の中心に凸部１５に対応する凹部１６を凹設し、凹部１６の周囲に磁石板１７を配設することによって、左右のファスナーテープ１の端部に設けた摺動板１３，１４を重ね合わせて凹部１６と凸部１５を嵌合して、回動させて保持部材１１に差込部材１２を差込み、同時に磁性部材２を挿入して吸着させる磁力を活用したファスナーである。
【００２７】
結合した左右のファスナーテープ１は、磁性部材２を順次に脱着させ、開き具１０の摺接板１３，１４を回動して重合を離反させることにより、左右のファスナーテープ１は分離させることができる。
【実施例１】
【００２８】
図１〜５に示す実施例１の磁力を活用したファスナーは、一対のファスナーテープ１の対向側縁７に磁性を備えた磁性部材２を取り付ける。磁性部材２は合成樹脂材３たとえばポリアミド、ポリアセタール、ポリプロピレン、ポリブチレンテレフタレートなどの熱可塑性樹脂、またはユリア樹脂、メラミン樹脂などの熱硬化性樹脂を用いて側縁７へ単体の磁性部材２を射出成形する。その際単体の磁性部材２の先端内部に磁石４を埋装する。磁石４の磁極はファスナーテープ１の長手方向を指向する形態に形成する。
【００２９】
ファスナーテープ１の側縁７へ合成樹脂材３を射出成形して取り付ける、単体の磁性部材２はファスナーテープ１の側縁７に形成された膨大状の芯部８上に成形し、一定の等間隔すなわち吸着相手の磁性部材２のファスナーテープ１の長手方向の幅よりもやや大きめの間隔で取り付ける。この取り付けられた前後の磁性部材２間に磁性部材２の幅寸法よりも同等もしくはやや狭い磁性部材２の位置を決めるための非磁性部材の合成樹脂材３の位置決め部５をファスナーテープ１の側縁７に磁性部材２とは別体で成形し、片側のファスナーテープ１のうち、隣り合う磁性部材２同士が吸引作用によって吸着しようとしても、図５の状態のように位置決め部５に接触し、湾曲した状態としかならず、互いに吸着を防止できる。
【００３０】
一対のファスナーテープ１に取り付けられた磁性部材２の配列の終端に連接状に開き具１０を合成樹脂材３を用いて射出成形によって成形し取り付ける。開き具１０は図４に示すように一方の磁性部材２に隣接してファスナーテープ１の側端に凹溝１８を備えた長手の保持部材１１を成形し、この保持部材１１の端部に円板状の摺接板１３を連設し、摺接板１３の中心部に表面へ突出する凸部１５を設け、この凸部１５の周囲に磁石板１７を埋装する。他方のファスナーテープ１に配列された磁性部材２は、終端の位置決め部５に隣接してファスナーテープ１の側端に凹溝１８に差し込むことができる板状の長手の差込部材１２を成形し、この差込部材１２の端部に円板状の摺接板１４を連設し、摺接板１４の中心部に凸部１５が嵌合できる凹部を凹設し、この凹部の周囲に磁石板を埋装して摺接板１３の磁石板１７と吸着する開き具１０を形成する。
【００３１】
ファスナーの使用態様を説明すると、最初に開き具１０の摺接板１３，１４を重ね合わせて凹部と凸部１５を嵌合させ、次に摺接板１３，１４を回動して差込部材１２を保持部材１１に差込み、同時に左右の磁性部材２間に吸着相手の磁性部材２を挿入し吸着させてファスナーテープ１を結合し閉鎖させる。このとき、磁性部材２間には位置決め部５が設けられているので、一つの磁性部材２の吸着する位置が決まればそれ以外の磁性部材２が所定の磁性部材２間に挿入され吸着することができる。閉鎖されたファスナーテープ１は磁性部材２の吸着を順次に脱着させ、摺接板１３，１４を回動させながら離脱させることによりファスナーテープ１を分離させる。
【００３２】
合成樹脂材３に磁石４を埋装して磁性部材２を形成する代わりに、合成樹脂材３に磁性粉末を混入して成形することによって磁性部材２を形成することもできる。また磁性粉末を混入した磁性塗料を合成樹脂材３の表面に塗布して磁性部材２を形成してもよい。さらに開き具１０に代えて２本のファスナーテープ１の端部を単に連結する止具を用いてもよい。
【実施例２】
【００３３】
図６，７に示す実施例２の磁力を活用したファスナーは、前例と同様に一対のファスナーテープ１の側縁７に形成された芯部８に対し、磁石４の磁極がファスナーテープ１の長手方向を指向する形態に磁性部材２の先端部分に埋装される形に射出成形する。この磁性部材２には磁性部材２の取り付け位置を決めるための位置決め部５を磁性部材２の基部に一体に設ける。位置決め部５は磁性部材２の両側面に磁性部材２の幅寸法の半分に担当する大きさでファスナーテープ１の長手方向に突出する形に設け、片側のファスナーテープ１がたとえ磁性部材２の吸引作用によって湾曲しても図７の状態を保持できるように形成する。
【００３４】
なお、位置決め部５を磁性部材２の片側の側面に突出状に形成してもよい。さらに位置決め部５を図８に示すように、ファスナーテープ１の側縁７に形成された芯部８の表面へ合成樹脂液を塗布固定して塗布層９を設けて位置決め部５を形成してもよい。
【産業上の利用可能性】
【００３５】
この発明の磁力を活用したファスナーは、衣服の前立てなどの開口部、またバッグ、袋物などの開口部に取り付け、磁石の吸脱着作用によって開口部を開口し、または閉鎖させる。
【図面の簡単な説明】
【００３６】
【図１】実施例１に基づくファスナーの閉鎖状態を示す正面図である。
【図２】図１におけるＡ−Ａ断面図である。
【図３】同上ファスナーの開口状態を示す正面図である。
【図４】同上ファスナーテープの端部に取り付けた開き具の斜視図である。
【図５】同上ファスナーテープの湾曲状態を示す正面図である。
【図６】実施例２に基づくファスナーの開離状態を示す正面図である。
【図７】同上ファスナーテープの湾曲状態を示す正面図である。
【図８】位置決め部の変形例を示す断面図である。
【図９】公知の磁力を活用したファスナーの正面図である。
【図１０】他の公知の磁力を活用したファスナーの断面図である。
【図１１】さらに他の公知の磁力を活用したファスナーの断面図である。
【符号の説明】
【００３７】
１            ファスナーテープ
２            磁性部材
３            合成樹脂材
４            磁石
５            位置決め部
７            側縁
１０            開き具
【図１】
2006149824.tif 000003
【図２】
2006149824.tif 000004
【図３】
2006149824.tif 000005
【図４】
2006149824.tif 000006
【図５】
2006149824.tif 000007
【図６】
2006149824.tif 000008
【図７】
2006149824.tif 000009
【図８】
2006149824.tif 000010
【図９】
2006149824.tif 000011
【図１０】
2006149824.tif 000012
【図１１】
2006149824.tif 000013